(57)【要約】【課題】断熱性と耐候性に優れた建築板及びその製造方法を提供すること。【解決手段】基材と、基材の表面を被覆した断熱塗膜と、断熱塗膜を被覆した透明なクリヤー塗膜とを有する建築板。断熱塗膜は、塗膜形成材と有機系中空粒子と水溶性溶剤とを含有している。建築板の製造方法は、基材の表面に断熱塗料を塗布した後これを乾燥して断熱塗膜を形成する断熱塗膜形成工程と、断熱塗膜の表面にクリヤー塗料を塗布した後これを乾燥してクリヤー塗膜を形成するクリヤー塗膜形成工程とを有する。断熱塗料は、塗膜形成材と、有機系中空粒子と、断熱塗膜形成工程及びクリヤー塗膜形成工程における乾燥時の塗膜温度よりも沸点の高い水溶性溶剤とを含有している。【選択図】図１
2014088000.tif 000002
【特許請求の範囲】
【請求項１】
基材と、該基材の表面を被覆した断熱塗膜と、該断熱塗膜を被覆した透明なクリヤー塗膜とを有する建築板であって、
上記断熱塗膜は、塗膜形成材と有機系中空粒子と水溶性溶剤とを含有していることを特徴とする建築板。
【請求項２】
請求項１に記載の建築板において、上記水溶性溶剤は、グリコール系溶剤及びグリコールエーテル系溶剤の少なくとも１種以上からなることを特徴とする建築板。
【請求項３】
請求項１又は２に記載の建築板において、上記有機系中空粒子は、アクリロニトリル、メタクリロニトリル、塩化ビニリデン、アクリル酸エステル、スチレンの少なくとも１種以上からなることを特徴とする建築板。
【請求項４】
請求項１〜３のいずれか一項に記載の建築板において、上記有機系中空粒子は、平均中空率が８０％以上であることを特徴とする建築板。
【請求項５】
請求項１〜４のいずれか一項に記載の建築板において、透明な親水性塗膜が、最外層として、上記クリヤー塗膜を被覆するように形成されていることを特徴とする建築板。
【請求項６】
基材と、該基材の表面を被覆した断熱塗膜と、該断熱塗膜を被覆したクリヤー塗膜とを有する建築板を製造する方法であって、
上記基材の表面に断熱塗料を塗布した後これを乾燥して上記断熱塗膜を形成する断熱塗膜形成工程と、
上記断熱塗膜の表面にクリヤー塗料を塗布した後これを乾燥して上記クリヤー塗膜を形成するクリヤー塗膜形成工程とを有し、
上記断熱塗料として、塗膜形成材と、有機系中空粒子と、上記断熱塗膜形成工程及び上記クリヤー塗膜形成工程における乾燥時の塗膜温度よりも沸点の高い水溶性溶剤とを含有している塗料を用いることを特徴とする建築板の製造方法。
【請求項７】
請求項６に記載の建築板の製造方法において、上記断熱塗膜形成工程及び上記クリヤー塗膜形成工程における乾燥時の塗膜温度は、１３０℃以下であることを特徴とする建築板の製造方法。
【請求項８】
請求項６又は７に記載の建築板の製造方法において、上記水溶性溶剤は、グリコール系溶剤及びグリコールエーテル系溶剤の少なくとも１種以上からなることを特徴とする建築板の製造方法。
【請求項９】
請求項６〜８のいずれか一項に記載の建築板の製造方法において、上記有機系中空粒子は、アクリロニトリル、メタクリロニトリル、塩化ビニリデン、アクリル酸エステル、スチレンの少なくとも１種以上からなることを特徴とする建築板の製造方法。
【請求項１０】
請求項６〜９のいずれか一項に記載の建築板の製造方法において、上記有機系中空粒子は、平均中空率が８０％以上であることを特徴とする建築板の製造方法。
【請求項１１】
請求項６〜１０のいずれか一項に記載の建築板の製造方法において、更に、上記クリヤー塗膜の表面に親水性塗料を塗布した後これを乾燥して透明な親水性塗膜を最外層として形成する親水性塗膜形成工程を有することを特徴とする建築板の製造方法。
【発明の詳細な説明】
【技術分野】
【０００１】
本発明は、建物の外壁等に用いる建築板及びその製造方法に関する。
【背景技術】
【０００２】
近年、省エネ等の環境問題の観点から、住宅等の建物における外壁や屋根等に施工する建築板に、断熱効果の向上が求められている。そのために、建築板の表面に断熱塗膜を形成することが検討されている。
例えば、特許文献１においては、断熱効果を備えたセラミック微粉末を塗膜形成材中に分散混合してなる断熱塗膜を、基材の表面に形成してなる、断熱性壁材が提案されている。
【先行技術文献】
【特許文献】
【０００３】
【特許文献１】特開２０００−７１３８９号公報
【発明の概要】
【発明が解決しようとする課題】
【０００４】
しかしながら、上記のようにセラミック微粉末を分散混合した断熱塗膜を形成した建築板は、実際にはその断熱効果が小さいことが、発明者らの実験によって分かった（後述する実験例参照）。そして、発明者らが鋭意研究した結果、その要因の一つとして、セラミック微粉末は、その中空率が低くなりやすく、断熱効果が得られにくいという点が挙げられることが分かった。
また、建物の外壁や屋根等に施工するためには、優れた耐候性が必要である。
【０００５】
本発明は、かかる背景に鑑みてなされたもので、断熱性と耐候性に優れた建築板及びその製造方法を提供しようとするものである。
【課題を解決するための手段】
【０００６】
本発明の一態様は、基材と、該基材の表面を被覆した断熱塗膜と、該断熱塗膜を被覆した透明なクリヤー塗膜とを有する建築板であって、
上記断熱塗膜は、塗膜形成材と有機系中空粒子と水溶性溶剤とを含有していることを特徴とする建築板にある（請求項１）。
【０００７】
また、本発明の他の態様は、基材と、該基材の表面を被覆した断熱塗膜と、該断熱塗膜を被覆したクリヤー塗膜とを有する建築板を製造する方法であって、
上記基材の表面に断熱塗料を塗布した後これを乾燥して上記断熱塗膜を形成する断熱塗膜形成工程と、
上記断熱塗膜の表面にクリヤー塗料を塗布した後これを乾燥して上記クリヤー塗膜を形成するクリヤー塗膜形成工程とを有し、
上記断熱塗料として、塗膜形成材と、有機系中空粒子と、上記断熱塗膜形成工程及び上記クリヤー塗膜形成工程における乾燥時の塗膜温度よりも沸点の高い水溶性溶剤とを含有している塗料を用いることを特徴とする建築板の製造方法にある（請求項６）。
【発明の効果】
【０００８】
上記建築板において、上記断熱塗膜は有機系中空粒子を含有している。これにより、断熱塗膜に断熱機能が付与される。そして、上記有機系中空粒子は、有機系材料からなるものであるため、その中空率が高くなりやすい。すなわち、有機系材料は柔軟性があるため、中空粒子を形成する際に材料が伸びやすく、中空率を高くすることができる。それゆえ、有機系中空粒子の断熱効果が大きく、断熱塗膜の断熱性を向上させることができる。
【０００９】
また、上記断熱塗膜は、上記水溶性溶剤を含有しているため、均質な成膜が可能となる。すなわち、上記のように断熱効果の高い有機系中空粒子が混合されていると、断熱塗料を基材に塗布した後にこれを乾燥する際、塗膜全体に熱が均等に伝わり難いという問題が考えられる。そこで、断熱塗膜に水溶性溶剤が含有されていることにより、乾燥時に熱が塗膜全体に伝わりやすくなる。その結果、均質な断熱塗膜を形成することができる。これにより、建築板全体にわたって、断熱塗膜によって均質な断熱効果を得ることができ、全体として建築板の断熱性を向上させることができる。
【００１０】
また、上記建築板は、断熱塗膜を被覆した透明なクリヤー塗膜を備えている。これにより、建築板の耐候性を向上させることができる。しかも、上記クリヤー塗膜は透明であるため、クリヤー塗膜が蓄熱することもなく、上記断熱塗膜の断熱効果を阻害することがない。すなわち、クリヤー塗膜を形成することにより、断熱効果を阻害することなく、建築板の耐候性を向上させることができる。
【００１１】
また、上記建築板の製造方法においては、上記断熱塗膜形成工程において用いる上記断熱塗料が、塗膜形成材と有機系中空粒子と水溶性溶剤とを含有している。これにより、上記説明の通り、断熱塗膜の断熱効果を向上させることができ、断熱性に優れた建築板を製造することができる。
なお、上記水溶性溶剤は、上記断熱塗膜形成工程及び上記クリヤー塗膜形成工程における乾燥時の塗膜温度よりも沸点が高い。それゆえ、各工程における乾燥を経た後にも、水溶性溶剤は、充分に残存して、断熱塗膜の均質な成膜に寄与することができる。
【００１２】
以上のごとく、本発明によれば、断熱性と耐候性に優れた建築板及びその製造方法を提供することができる。
【図面の簡単な説明】
【００１３】
【図１】実施例１における、建築板の断面模式図。
【図２】実施例２における、建築板の断面模式図。
【発明を実施するための形態】
【００１４】
上記建築板の製造方法において、上記塗膜温度とは、上記断熱塗膜及び上記クリヤー塗膜の温度を意味する。
また、上記水溶性溶剤は、グリコール系溶剤及びグリコールエーテル系溶剤の少なくとも１種以上からなることが好ましい（請求項２、請求項８）。この場合には、上記断熱塗膜の均質な成膜を効果的に実現することができる。すなわち、グリコール系溶剤及びグリコールエーテル系溶剤は、沸点が高く、断熱塗膜の形成工程においても、最後まで残存しやすく、断熱塗膜の均質化に貢献しやすい。
【００１５】
また、上記有機系中空粒子は、アクリロニトリル、メタクリロニトリル、塩化ビニリデン、アクリル酸エステル、スチレンの少なくとも１種以上からなることが好ましい（請求項３、請求項９）。この場合には、特に安定的に中空率の高い有機系中空粒子を得ることができる。
【００１６】
また、上記有機系中空粒子は、平均中空率が８０％以上であることが好ましい（請求項４、請求項１０）。この場合には、上記断熱塗膜の断熱効果を充分に発揮することができる。
また、上記平均中空率は、９０％以上であることが更に好ましい。この場合には、上記断熱塗膜の断熱効果をより発揮することができる。また、平均中空率の好ましい上限値は、有機系中空粒子の中空状態を保持できることを条件に、種々の要因によって異なる。
なお、上記平均中空率は、体積百分率による値である。以下も同様である。
【００１７】
また、透明な親水性塗膜が、最外層として、上記クリヤー塗膜を被覆するように形成されていてもよい（請求項５）。この場合には、長期にわたり建築板の外観意匠性を維持することができる。すなわち、上記親水性塗膜が最外層に形成されていることにより、建築板の表面すなわち親水性塗膜の表面に汚れが付着しても、建築板の表面に水をかけることにより、或いは雨水がかかることにより、親水性塗膜に水が吸収されて汚れが水と共に流れ落ちる。その結果、建築板の外観を長期にわたって維持することができる。また、建築板の表面に付着した汚れが水と共に流れ落ちやすくなることで、建築板の表面における畜熱効果を抑制することができる。
また、上記親水性塗膜は透明であるため、上記断熱塗膜の機能を損ねることもなく、建築板の断熱性を確保することができる。
【００１８】
また、上記建築板の製造方法において、上記断熱塗膜形成工程及び上記クリヤー塗膜形成工程における乾燥時の塗膜温度は、１３０℃以下であることが好ましい（請求項７）。この場合には、上記有機系中空粒子の中空構造を確実に保持しつつ、断熱塗膜を形成することができる。それゆえ、上記建築板の断熱性を確実に得ることができる。また、乾燥時において、断熱塗料に含有されている水溶性溶剤の揮発を抑制しやすい。それゆえ、確実に断熱塗膜の均質化を図りやすい。
上記有機系中空粒子の耐熱温度を考慮して、上記断熱塗膜形成工程及び上記クリヤー塗膜形成工程における乾燥時の塗膜温度は、４０〜１１０℃とすることが好ましい。
【００１９】
また、上記建築板の製造方法は、更に、上記クリヤー塗膜の表面に親水性塗料を塗布した後これを乾燥して透明な親水性塗膜を最外層として形成する親水性塗膜形成工程を有していてもよい（請求項１１）。この場合には、長期にわたり建築板の外観意匠性を維持することができる。
【実施例】
【００２０】
（実施例１）
上記建築板及びその製造方法の実施例につき、図１を用いて説明する。
本例の建築板１は、基材２と、該基材２の表面を被覆した断熱塗膜３と、該断熱塗膜３を被覆した透明なクリヤー塗膜４とを有する。
断熱塗膜３は、塗膜形成材と有機系中空粒子と水溶性溶剤とを含有している。
【００２１】
上記建築板１は、例えば、建物の外壁や屋根等に施工するものとすることができる。
そして、基材２としては、例えば、木繊維補強セメント板、繊維補強セメント板、繊維補強セメント・ケイ酸カルシウム板、スラグ石膏板などの窯業系サイディングボードや、金属系サイディングボード、ＡＬＣボード等とすることができる。
そして、基材２の表面には、シーラー層２１が形成されている。シーラー層２１は、例えば、アクリル樹脂エマルション塗料、アクリルウレタン樹脂系塗料、エポキシ樹脂系塗料、溶剤型湿硬ウレタン、水分散型イソシアネート等によって構成することができる。なお、シーラー層２１は、１層でもよいが、２層以上とすることもできる。
【００２２】
断熱塗膜３は、基材２におけるシーラー層２１の上に、平均膜厚５〜５００μｍにて形成されている。断熱塗膜３の平均膜厚は、５０〜５００μｍであることがより好ましい。これにより、充分な断熱効果を得ることができると共に、乾燥時間が長くなって亀裂が生じやすくなることを防ぐことができる。
断熱塗膜３を主として構成する塗膜形成材としては、例えば、アクリル樹脂、シリコン樹脂、フッ素樹脂、アクリルシリコン樹脂、ポリウレタン樹脂、エポキシ樹脂等の合成樹脂を用いることができる。この塗膜形成材中に、有機系中空粒子が分散混合されている。
【００２３】
有機系中空粒子は、アクリロニトリル、メタクリロニトリル、塩化ビニリデン、アクリル酸エステル、スチレンの少なくとも１種以上からなる。また、有機系中空粒子は、平均中空率が８０％以上である。より好ましくは、有機系中空粒子の平均中空率は９０％以上である。
【００２４】
また、有機系中空粒子の含有量は、断熱効果と塗膜強度を考慮して、０．０１〜５．０質量部であることが好ましい。ここで、有機系中空粒子の含有量は、断熱塗膜の全体を構成する塗料固形分１００質量部に対する、有機系中空粒子の膜を形成する有機固形分の割合を表すものとする。以下においても同様である。
また、有機系中空粒子の平均粒径は、断熱効果と塗膜強度を考慮して、５〜５０μｍであることが好ましい。
【００２５】
また、断熱塗膜３には、水溶性溶剤が含有されている。すなわち、後述する製造工程を経て最終的に得られる建築板１において、断熱塗膜３は水溶性溶剤を含んでいる。この水溶性溶剤の含有量は、断熱塗膜３の固形分を１００質量部としたとき、０．１〜１０質量部である。これにより、断熱塗膜３全体の均質な成膜を確実に行うことができる。
【００２６】
水溶性溶剤は、グリコール系溶剤及びグリコールエーテル系溶剤の少なくとも１種以上からなる。すなわち、水溶性溶剤として、例えば、エチレングリコール、プロピレングリコール、ジエチレングリコール、ジプロピレングリコールＮ−ブチルエーテル、トリプロピレングリコールモノメチルエーテル等、又はこれらの混合物を用いることができる。
また、断熱塗膜３には、顔料が含有されており、断熱塗膜３は色彩層としても機能している。なお、断熱塗膜３は、顔料を含有しない塗膜とすることもできる。
【００２７】
クリヤー塗膜４は、水性塗料によって形成されている。この水性塗料としては、例えば、アクリルシリコン樹脂エマルション塗料、アクリル樹脂エマルション塗料、シリコン樹脂系塗料、アクリルウレタン系塗料、フッ素樹脂系塗料、ポリウレタン樹脂系塗料等を採用することができる。
【００２８】
本例の建築板１を製造するにあたっては、以下の断熱塗膜形成工程とクリヤー塗膜形成工程とを行う。
断熱塗膜形成工程においては、基材２の表面（シーラー層２１の表面）に断熱塗料を塗布した後これを乾燥して断熱塗膜３を形成する。
クリヤー塗膜形成工程においては、断熱塗膜３の表面にクリヤー塗料を塗布した後これを乾燥してクリヤー塗膜４を形成する。
【００２９】
断熱塗料は、塗膜形成材中に有機系中空粒子を分散混合してなると共に水溶性溶剤を含有している。
断熱塗料を構成する塗膜形成材、有機系中空粒子、水溶性溶剤や、クリヤー塗料の具体的材料については、上述した通りである。そして、水溶性溶剤は、断熱塗膜形成工程及び上記クリヤー塗膜形成工程における乾燥時の塗膜温度よりも沸点が高い。逆に言うと、上記断熱塗膜形成工程及び上記クリヤー塗膜形成工程における乾燥時の塗膜温度は、水溶性溶剤の沸点未満としている。具体的に、上記乾燥時の塗膜温度は１３０℃以下である。
【００３０】
次に、本例の作用効果につき説明する。
上記建築板１において、断熱塗膜３は有機系中空粒子を分散混合してなる。これにより、断熱塗膜３に断熱機能が付与される。そして、有機系中空粒子は、有機系材料からなるものであるため、その中空率が高くなりやすい。それゆえ、断熱塗膜３の断熱性を向上させることができる。
【００３１】
また、断熱塗膜３は、水溶性溶剤を含有しているため、均質な成膜が可能となる。すなわち、水溶性溶剤の存在によって、断熱塗料の乾燥時に熱が塗膜全体に伝わりやすくなる。その結果、均質な断熱塗膜３を形成することができる。これにより、建築板１全体にわたって、断熱塗膜３によって均質な断熱効果を得ることができる。
【００３２】
また、水溶性溶剤は、断熱塗膜形成工程及びクリヤー塗膜形成工程における乾燥時の塗膜温度よりも沸点が高い。それゆえ、各工程における乾燥を経た後にも、水溶性溶剤は、充分に残存して、断熱塗膜の均質な成膜に寄与することができる。
【００３３】
また、水溶性溶剤は、グリコール系溶剤及びグリコールエーテル系溶剤の少なくとも１種以上からなるため、断熱塗膜３の均質な成膜を効果的に実現することができる。すなわち、グリコール系溶剤及びグリコールエーテル系溶剤は、沸点が高く、断熱塗膜の形成工程においても、最後まで残存しやすく、断熱塗膜の均質化に貢献しやすい。
【００３４】
また、断熱塗膜形成工程及びクリヤー塗膜形成工程における乾燥時の塗膜温度を、１３０℃以下としているため、有機系中空粒子の中空構造を確実に保持しつつ、断熱塗膜を形成することができる。それゆえ、建築板１の断熱性を確実に得ることができる。また、乾燥時において、断熱塗料に含有されている水溶性溶剤の揮発を抑制しやすい。それゆえ、確実に断熱塗膜３の均質化を図りやすい。
【００３５】
また、有機系中空粒子は、アクリロニトリル、メタクリロニトリル、塩化ビニリデン、アクリル酸エステル、スチレンの少なくとも１種以上からなるため、特に安定的に中空率の高い有機系中空粒子を得ることができる。
また、有機系中空粒子は、平均中空率が８０％以上であるため、断熱塗膜３の断熱効果を充分に発揮することができる。
また、建築板１は透明なクリヤー塗膜４を備えているため、断熱塗膜３による断熱効果を阻害することなく、建築板１の耐候性を向上させることができる。
【００３６】
以上のごとく、本例によれば、断熱性と耐候性に優れた建築板及びその製造方法を提供することができる。
【００３７】
（実施例２）
本例は、図２に示すごとく、透明な親水性塗膜５を、最外層として、クリヤー塗膜４を被覆するように形成した例である。
親水性塗膜５は、例えば、シリカ、コロイダルシリカ、フュームドシリカ等によって構成することができる。
本例の建築板１を製造するにあたっては、実施例１の製造方法における断熱塗膜形成工程とクリヤー塗膜形成工程とに、以下の親水性塗膜形成工程を加えればよい。すなわち、クリヤー塗膜形成工程の後、親水性塗膜形成工程において、クリヤー塗膜４の表面に親水性塗料を塗布した後これを乾燥して透明な親水性塗膜５を最外層として形成する。
ここで、親水性塗料として、例えば、シリカ、コロイダルシリカ、フュームドシリカ等を分散してなる溶液を用いることができる。
その他は、実施例１と同様である。
【００３８】
本例の場合には、長期にわたり建築板１の外観意匠性を維持することができる。すなわち、親水性塗膜５が最外層に形成されていることにより、建築板１の表面に汚れが付着しても、建築板１の表面に水をかけることにより、或いは雨水がかかることにより、親水性塗膜５に水が吸収されて汚れが水と共に流れ落ちる。その結果、建築板１の外観を長期にわたって維持することができる。また、建築板１の表面に付着した汚れが水と共に流れ落ちやすくなることで、建築板１の表面における畜熱効果を抑制することができる。
また、親水性塗膜５は透明であるため、断熱塗膜３の機能を損ねることもなく、建築板１の断熱性を確保することができる。
その他、実施例１と同様の作用効果を有する。
【００３９】
（実験例）
本例は、上記実施例１及び実施例２に示した建築板の断熱性について評価した例である。
表１に示すごとく、実施例１又は実施例２の建築板において、断熱塗膜（断熱塗料）、クリヤー塗膜（クリヤー塗料）、親水性塗膜（親水性塗料）を種々変更したものを、試料１〜試料５として作製した。
また、表２に示すごとく、実施例１の建築板における断熱塗膜（断熱塗料）を、実施例１に示したものとは異なる構成としたものを、試料６〜試料１０として作製した。
【００４０】
なお、すべての試料において、基材は木繊維補強セメント板であり、その表面にアクリル樹脂エマルション塗料（白色系）を塗布してシーラー層を形成している。そして、シーラー層の上に断熱塗膜を形成しているが、試料５は顔料を含まず、他はすべて白色系顔料を含有している。すなわち、試料５は、断熱塗膜を透明としているが、その他の試料は、断熱塗膜を白色系の色彩層としている。
【００４１】
各試料の詳細は、表１、表２に記載した通りである。試料１〜９について、断熱塗膜（断熱塗料）における塗膜形成材およびクリヤー塗膜（クリヤー塗料）は、アクリルシリコンエマルションからなる。試料１０は、クリヤー塗膜を設けていない。また、試料５において、親水性塗膜は、シリカからなり、これを形成するための親水性塗料としては、コロイダルシリカを分散してなる溶液を用いた。また、試料２における中空粒子は、塩化ビニリデンとアクリロニトリルとからなる。また、試料３における中空粒子は、メタクリロニトリルとアクリル酸メチルとからなる。
【００４２】
試料６における断熱塗膜（断熱塗料）に分散混合した中空粒子はセラミックである。また、試料８における断熱塗膜（断熱塗料）には、中空粒子の代わりに中実粒子を分散混合してある。
また、表１、表２において、中空粒子（中実粒子）の含有量、及び水溶性溶剤の含有量は、塗料固形分１００質量部に対する質量部にて表されている。
【００４３】
断熱塗料に水溶性溶剤を含有させていない試料９については、断熱塗膜に、亀裂発生、断熱性能の低下、外観不良等の不具合が生じた。
【００４４】
試料１〜試料１０にかかる建築板に対して、断熱効果の試験を行った。
試験方法としてはランプ照射法を用いた。すなわち、試料表面から１０ｃｍ離れた位置に配置した１００Ｖ、１５０Ｗのハロゲンランプによって、試料の表面に光を照射した。そして、１０分間連続照射した時点において、試料表面の温度を放射温度計を用いて測定した。その結果を、表１、表２に示す。
【００４５】
【表１】
2014088000.tif 000003
【００４６】
【表２】
2014088000.tif 000004
【００４７】
表１、表２から分かるように、試料６〜試料９の表面温度は、６０〜６５℃に達したのに対し、試料１〜試料５の表面温度は、５０〜５６℃に収まった。すなわち、実施例１、実施例２の構成を採用することにより、確実に建築板の温度上昇を抑制することができ、その断熱性を向上させることができると言える。
【００４８】
また、建築板の耐候性の評価を行った。評価方法としては、所定の耐久試験の前後における建築板の表面における光沢値の変化の度合い（光沢保持率）にて評価した。
具体的には、上述の試料１〜試料１０を用いて、以下の試験を行った。
まず、株式会社堀場製作所製ハンディ光沢計「グロスチェッカーＩＧ−３２０」を用いて建築板の表面（塗膜面）のうち任意の５ヶ所の光沢値を測定した。そして、これらの平均値を「初期の平均光沢値」とした。
【００４９】
次に、各試料について、ダイプラ・ウィンテス株式会社製「メタルウエザーメーター」を用い、促進試験（４時間照射および４時間湿潤のサイクル）を８００時間行った。ここで、照射条件としては、照射強度１１００Ｗ／ｍ2、照射距離２４０ｍｍ、ブラックパネル温度６３℃とした。また、湿潤条件としては、結露温度３０℃、結露湿度９８％とし、シャワーは結露前後に１０秒行うこととした。
【００５０】
上記促進試験の後、試料表面（塗膜面）について、促進試験前と同様に、上記ハンディ光沢計を用いて任意の５ヶ所の光沢値を測定し、その平均値を「耐候性試験後の平均光沢値」とした。
そして、以下の算出式により光沢保持率を算出した。
光沢保持率（％）＝（耐候性試験後の平均光沢値）/（初期の平均光沢値）
算出された光沢保持率について、以下の通り評価し、表１及び表２に評価結果を記した。
○：光沢保持率が８０％以上
△：光沢保持率が５０％以上８０％未満
×：光沢保持率が５０％未満
【００５１】
表１、表２から分かるように、クリヤー塗膜の無い試料１０の光沢保持率が５０％未満であったのに対し、クリヤー塗膜を有する試料１〜試料９の光沢保持率は、すべて８０％以上であった。すなわち、クリヤー塗膜を備えた試料１〜試料９は、耐候性試験（促進試験）を行っても初期の光沢を保持しており、耐候性に優れていると言える。
この結果から、クリヤー塗膜を形成することにより、耐候性を向上させることができることが分かる。
【符号の説明】
【００５２】
１  建築板
２  基材
３  断熱塗膜
４  クリヤー塗膜
５  親水性塗膜
【図１】
2014088000.tif 000005
【図２】
2014088000.tif 000006